(57)【要約】【課題】診察室の省スペース化を図るとともに、医療機器に必要な耐荷重を満たす歯科治療ユニットを提供する。【解決手段】スピットンの側方に配置可能な歯科治療椅子を備える歯科治療ユニットである。歯科治療椅子は、歯科治療ユニットに対して着脱可能に構成された椅子ベース部２０と、椅子ベース部に設けられ、路面を走行する椅子走行部（車輪２７で例示）と、歯科治療ユニットに電気的に接続されるユニット接続部（電極ソケット２２で例示）と、歯科治療ユニットを介して供給される電力によって、椅子ベース部に対して昇降するシート部と、椅子走行部を持ち上げて路面から離間させるジャッキ部３０と、を備える。【選択図】図５
2020099503.tif 000002
【特許請求の範囲】
【請求項１】
スピットンの側方に配置可能な歯科治療椅子を備える歯科治療ユニットであって、
前記歯科治療椅子は、
前記歯科治療ユニットに対して着脱可能に構成された椅子ベース部と、
該椅子ベース部に設けられ、路面を走行する椅子走行部と、
前記歯科治療ユニットに電気的に接続されるユニット接続部と、
前記歯科治療ユニットを介して供給される電力によって、前記椅子ベース部に対して昇降するシート部と、
前記椅子走行部を持ち上げて前記路面から離間させるジャッキ部と、
を備えることを特徴とする歯科治療ユニット。
【請求項２】
前記ジャッキ部は、前記椅子ベース部が所定の位置に配置された際、前記椅子走行部を持ち上げて、前記ユニット接続部を前記歯科治療ユニットに電気的に接続させることを特徴とする請求項１に記載の歯科治療ユニット。
【請求項３】
前記椅子走行部は、前記歯科治療椅子に搭載したバッテリからの電力で前記路面を自走可能に構成されることを特徴とする請求項１または２に記載の歯科治療ユニット。
【請求項４】
前記シート部は、前記椅子ベース部に対して傾斜可能に構成されることを特徴とする請求項１から３のいずれか一項に記載の歯科治療ユニット。
【請求項５】
前記シート部は、前記椅子ベース部に対して略垂直方向に延びた軸線を中心として水平方向に１８０°旋回可能に構成されることを特徴とする請求項１から４のいずれか一項に記載の歯科治療ユニット。
【発明の詳細な説明】
【技術分野】
【０００１】
本発明は、歯科治療ユニットに関し、詳細には、スピットンの側方に配置可能な歯科治療椅子を備える歯科治療ユニットに関する。
【背景技術】
【０００２】
歯科医院では、足の不自由な患者を診察する場合、医院所有の小型の車椅子を利用することがある。患者は、医院内の待合室で小型の車椅子に乗り移り、診察室まで移動する。診察室内では、車椅子から歯科治療椅子に乗り移る。このように、患者には、小型の車椅子に乗り移り、さらに、この車椅子から歯科治療椅子に乗り移らなければならない煩わしさがある。そのため、例えば、特許文献１には、車椅子に乗ったままの状態で、診察室内で診察を受けられる構造が開示されている。
【先行技術文献】
【特許文献】
【０００３】
【特許文献１】特開平９−９４２７４号公報
【発明の概要】
【発明が解決しようとする課題】
【０００４】
しかしながら、特許文献１に記載の構造では、診察室には、健常者用の歯科治療椅子の背面側に、車椅子を配置するための専用のスペースが別途必要になる。また、治療時には車椅子のシート部に大きな荷重がかかり、この荷重を車椅子の車輪で支えることになるため、この車椅子では、医療機器に必要な耐荷重を満たせない。
【０００５】
本発明は、上述のような実情に鑑みてなされたもので、診察室の省スペース化を図るとともに、医療機器に必要な耐荷重を満たす歯科治療ユニットを提供することを目的とする。
【課題を解決するための手段】
【０００６】
上記課題を解決するために、請求項１の発明は、スピットンの側方に配置可能な歯科治療椅子を備える歯科治療ユニットであって、前記歯科治療椅子は、前記歯科治療ユニットに対して着脱可能に構成された椅子ベース部と、該椅子ベース部に設けられ、路面を走行する椅子走行部と、前記歯科治療ユニットに電気的に接続されるユニット接続部と、前記歯科治療ユニットを介して供給される電力によって、前記椅子ベース部に対して昇降するシート部と、前記椅子走行部を持ち上げて前記路面から離間させるジャッキ部と、を備えることを特徴としたものである。
【０００７】
請求項２の発明は、請求項１の発明において、前記ジャッキ部は、前記椅子ベース部が所定の位置に配置された際、前記椅子走行部を持ち上げて、前記ユニット接続部を前記歯科治療ユニットに電気的に接続させることを特徴としたものである。
【０００８】
請求項３の発明は、請求項１または２の発明において、前記椅子走行部は、前記歯科治療椅子に搭載したバッテリからの電力で前記路面を自走可能に構成されることを特徴としたものである。
【０００９】
請求項４の発明は、請求項１から３のいずれか１の発明において、前記シート部は、前記椅子ベース部に対して傾斜可能に構成されることを特徴としたものである。
【００１０】
請求項５の発明は、請求項１から４のいずれか１の発明において、前記シート部は、前記椅子ベース部に対して略垂直方向に延びた軸線を中心として水平方向に１８０°旋回可能に構成されることを特徴としたものである。
【発明の効果】
【００１１】
本発明によれば、歯科治療ユニットが車椅子型の歯科治療椅子を有する。この歯科治療椅子は、歯科治療ユニットに対して着脱可能に構成され、スピットンの側方に配置可能である。これにより、診察室の省スペース化を図ることができる。また、患者が乗り移る回数をできる限り減らすことができる。さらに、シート部が歯科治療ユニットからの電力で昇降するので、診療時には患者を術者の必要な診療高さに移動できる。そして、ジャッキ部が治療時にシート部にかかる荷重を支え続けられるので、医療機器に必要な耐荷重を満たすことができる。したがって、足の不自由な患者を安定した姿勢で治療する歯科治療ユニットを提供できる。
【図面の簡単な説明】
【００１２】
【図１】本発明の一実施形態の歯科治療椅子を搭載した歯科治療ユニットを説明する斜視図である。
【図２】歯科治療ユニットの機能ブロック図である。
【図３】台座部の構成図である。
【図４】ジャッキ部の構成図である。
【図５】歯科治療ユニットへの取り付けを説明する図である。
【図６】チルト機構の構成図である。
【図７】歯科治療ユニットの平面図である。
【発明を実施するための形態】
【００１３】
以下、図面を参照しながら本発明の歯科治療ユニットについて説明する。図１は、本発明の一実施形態の歯科治療椅子を搭載した歯科治療ユニットを説明する斜視図である。また、図２は、歯科治療ユニットの機能ブロック図であり、図３は、台座部の構成図である。さらに、図４は、ジャッキ部の構成図であり、図５は、歯科治療ユニットへの取り付けを説明する図である。
【００１４】
図１に示すように、歯科治療ユニット１はスピットン２を有し、スピットン２の側方には、歯科治療椅子５が配置されている。なお、図示は省略するが、歯科治療ユニット１は、歯科治療椅子５の周辺に、無影灯や、種々の歯科用インスツルメントを保持するワークテーブル、フットスイッチ等を備えている。
スピットン２は、例えば、歯科治療ユニット１に供給された商用電源からの電力で駆動する。板状のユニットベース部３が、スピットン２の下側からスピットン２の側方に向けて延出しており、ユニットベース部３の下面には、図５で後述する電極プラグ４が設けられる。
【００１５】
歯科治療椅子５は、ユニットベース部３に対して着脱可能に構成される。また、歯科治療椅子５は車椅子型であり、路面上を走行可能である。このように、車椅子型の歯科治療椅子５をスピットン２の側方に配置できるので、従来に比べて、診察室の省スペース化を図ることができる。
歯科治療椅子５は例えば箱状の台座部１０を有し、台座部１０の下端には椅子走行部２３の車輪２７が設けられている。
【００１６】
台座部１０の上方にはシート部１１が設けられる。シート部１１は、路面に対して水平方向に配されたコンターシート１７を有する。コンターシート１７の後方には、バックレスト１３やヘッドレスト（安頭台）１２が設けられている。ヘッドレスト１２は、バックレスト１３の上端を下方に凹ませた収容部１４に収められている。これにより、歯科治療椅子５をコンパクトにできる。なお、ヘッドレスト１２は、例えば手動でバックレスト１３に対して昇降できる。
【００１７】
バックレスト１３の側方には、アームレスト１６が設けられている。バックレスト１３の後方には、例えば介助者が歯科治療椅子５を押したり、引いたりする際に使用される持ち手１５が設けられる。持ち手１５は、例えばバックレスト１３の背面に収容可能である。
コンターシート１７の前方には、レッグレスト１８が設けられる。本実施形態のレッグレスト１８は、台座部１０の下端に届かない程度に短く形成されており、レッグレスト１８の前方にはステップを設けていない。この点も、歯科治療椅子５のコンパクト化に貢献する。なお、必要に応じてステップを設けてもよい。
【００１８】
シート部１１は、台座部１０に対して上下方向に昇降でき、図２に示した昇降用モータ４０の駆動力で動作する。これにより、診察室への入室時や退出時には、患者を安全の為最低位で移動し、治療時には、患者を術者の必要な診療高さに移動できる。
また、シート部１１は、台座部１０に対して傾動動作が可能であり、図２に示したチルト用モータ５１の駆動力により、例えば前方に５°程度傾斜できる（前チルトともいう）。シート部１１は、円背の患者の姿勢に合うように、後方に傾斜することもできる（後チルトともいう）。この後チルトもチルト用モータ５１の駆動力で動作可能である。
【００１９】
昇降用モータ４０やチルト用モータ５１は、例えば、歯科治療ユニット１に供給された商用電源からの電力で駆動し、歯科治療椅子５に設けた制御部６０からの信号で制御される。制御部６０は、ＣＰＵやメモリ等からなり、メモリの例えばＲＯＭに格納されている各種プログラムやデータをＲＡＭにロードし、各種プログラムを実行することにより、歯科治療椅子５の動作を制御することができる。
【００２０】
図３に示すように、台座部１０は板状の椅子ベース部２０を有する。椅子ベース部２０の四隅には車輪２７がそれぞれ配置されている。車輪２７は車軸２６に連結され、車軸２６は椅子ベース部２０に回転自在に支持される。
歯科治療椅子５は、例えば自走モードと介助モードに切り替え可能である。自走モードに設定した場合、椅子走行部２３は走行用モータ２４の駆動力で動作する。走行用モータ２４のギア（図示省略）と車軸２６との間にはベルト２５が掛け回されている。走行用モータ２４は、椅子ベース部２０上に搭載したバッテリ２１からの電力で駆動する。走行用モータ２４も制御部６０からの信号で制御される。なお、自走モードに設定した場合、医院内では、待合室から診察室まで設置された白線を認識して、この白線上を走行するように構成してもよい。
【００２１】
また、例えば、アームレスト１６あるいはバックレスト１３の持ち手１５の近傍には、アクセルレバー（図示省略）を設けられる。患者あるいは介助者がアクセルレバーを押すと、走行用モータ２４が駆動して車輪２７が回転し、歯科治療椅子５が前進する。このように、歯科治療椅子５が自走可能であれば、移動する患者を容易にサポートできる。
一方、介助モードに設定した場合、クラッチ（図示省略）を用いて走行用モータ２４と車軸２６との接続が切り離される。この場合、バックレスト１３の背面側に立った介助者が持ち手１５を掴んで歯科治療椅子５を押すと、車輪２７が回転して歯科治療椅子５が前進する。
【００２２】
図３に示すように、椅子ベース部２０上には、例えば中央部分にタンク３６が設けられている。タンク３６は、例えば平面視で略円形状の基台の中央部分に、平面視矩形状のタンク室が固定されており、タンク室内には、歯科治療椅子５の昇降用に使用されるオイルが貯えられている。タンク３６上には、ポンプケース４４が固定されている。ポンプケース４４は、例えば、椅子ベース部２０の前後方向に延びた脚部の中央部分に、平面視で略円形状のオイル導入室が固定されている。タンク３６とポンプケース４４とはオイル流路で接続される。
【００２３】
ポンプケース４４の中央部分には、ラム４５が設けられている。ラム４５は、ポンプケース４４に対して上下方向に移動可能に構成されており、ラム４５の上方には、シート部１１が設けられる。
タンク３６からポンプケース４４へのオイル流路には、図２に示すように、ポンプ４１、電磁弁４２、ダンパ４３が設けられている。電磁弁４２を開き、昇降用モータ４０でポンプ４１が駆動すると、タンク３６のオイルが所定の圧力でポンプケース４４内に送られてラム４５に加わる。これにより、ラム４５が上昇してシート部１１が上昇する。
【００２４】
これに対し、ポンプケース４４からタンク３６へのオイル流路には、電磁弁４６、ダンパ４７が設けられている。電磁弁４６を開くと、ポンプケース４４内のオイルがシート部１１の重さで下方に押される。ポンプケース４４から出たオイルは、電磁弁４６、ダンパ４７を通り、タンク３６に戻される。
【００２５】
シート部１１は、台座部１０に対して略垂直方向（シート部１１の昇降方向）に沿って延びた軸線を中心として水平方向に１８０°旋回可能であってもよい。
この場合、シート部１１は回転用モータ３７の駆動力で動作する。回転用モータ３７は、例えば、図３で説明したタンク３６の基台の端に設けられる。椅子ベース部２０には、タンク３６に向けて凹状に湾曲したラック３９が設置されており、回転用モータ３７の先端に設けたギア（図示省略）と噛み合っている。回転用モータ３７は、例えば、椅子ベース部２０に設けたバッテリ２１からの電力で駆動する。回転用モータ３７も制御部６０からの信号で制御される。
【００２６】
椅子ベース部２０の例えば前端には、電極ソケット２２が設けられている。電極ソケット２２が本発明のユニット接続部に相当する。電極ソケット２２は例えば上向きに開口して設けられおり、ユニットベース部３の、例えば下向きに形成された電極プラグ４と電気的に接続可能である。電極プラグ４と電極ソケット２２が接続されると、歯科治療ユニット１に供給された商用電源からの電力が歯科治療椅子５に供給可能になる。
【００２７】
また、図３に示すように、椅子ベース部２０には、車輪２７の近傍に、ジャッキ部３０が設けられる。ジャッキ部３０は計４個の固定パッド３１を有し、車輪２７の近傍に１個ずつ配置される。
１個の固定パッド３１を例に挙げて説明すると、図４に示すように、固定パッド３１は大径部分と小径部分からなり、この小径部分を下方に向けて椅子ベース部２０の表面に設けられる。固定パッド３１の小径部分は、例えば椅子ベース部２０の表面と裏面とを貫通した貫通孔に挿入されており、この小径部分の先端面が路面Ｒに対峙している。
【００２８】
スプリング３２は、固定パッド３１の小径部分の外側に配され、固定パッド３１の大径部分と椅子ベース部２０の表面との間に挟持される。固定パッド３１の大径部分はリンク機構３３の一端に接続され、リンク機構３３の他端には、ペダル３５が設けられている。なお、リンク機構３３は、椅子ベース部２０の表面に立てられた例えば柱状部に支持される。
【００２９】
歯科治療椅子５がスピットンの側方に配置され、図５（Ａ）に示すように、例えば椅子ベース部２０の電極ソケット２２がユニットベース部３の電極プラグ４の下方に配置される。
ペダル３５を下方に踏むと、リンク機構３３が固定パッド３１を下方に押すので、固定パッド３１がスプリング３２の付勢力に抗して下方に移動する。固定パッド３１が路面Ｒに接触すると、図５（Ｂ）に示すように、椅子ベース部２０が車輪２７とともに持ち上がり、車輪２７が路面Ｒから離間する。これにより、固定パッド３１が治療時にシート部１１にかかる荷重を支えることができる。なお、ジャッキ部３０は、診療室のみならず、待合室や医院外でも使用することも可能である。
【００３０】
さらに、図５（Ｂ）に示すように、固定パッド３１が下方に移動して路面Ｒに接触すると、椅子ベース部２０の電極ソケット２２も持ち上がり、電極ソケット２２がユニットベース部３の電極プラグ４に接続する。これにより、昇降用モータ４０やチルト用モータ５１は、歯科治療ユニット１に供給された商用電源からの電力で駆動できる。また、歯科治療ユニット１に供給された商用電源からの電力でバッテリ２１も充電される。このように、固定パッド３１で車輪２７を持ち上げれば、歯科治療椅子５が歯科治療ユニット１に電気的に接続されるので、手動で接続するような手間を省略できる。
【００３１】
図６は、チルト機構の構成図である。
チルト機構は、ラム４５とコンターシート１７との間に設けられる。ラム４５の上端には、図６（Ａ）に示すように、固定ブロック５０が配置され、固定ブロック５０上には傾斜ブロック５３が設けられている。コンターシート１７は、固定板５６を介して傾斜ブロック５３に設置される。
【００３２】
傾斜ブロック５３は、固定ブロック５０に対して傾斜可能に構成される。詳しくは、図６（Ａ）のＢ−Ｂ線矢視断面図に相当する図６（Ｂ）に示すように、チルト用モータ５１は固定ブロック５０内に設置されている。一方、傾斜ブロック５３の下端には、例えば、下方に向けて凸状に湾曲したラック５４が設置されており、チルト用モータ５１のギア５２と噛み合っている。
【００３３】
また、固定ブロック５０の周面近傍には、ラック５４と同様に、下方に向けて凸状に湾曲したレールが設けられており、傾斜ブロック５３に回転自在に支持されたカムフォロア５５をレールに沿って移動させる。カムフォロア５５は、コンターシート１７の左側と右側にそれぞれ３個ずつ設けられる。なお、カムフォロア５５の外側に、カムフォロア５５を覆う外れ止め（図示省略）を設置してもよい。
【００３４】
チルト用モータ５１が所定方向に回転し、傾斜ブロック５３が固定ブロック５０に対して後退した場合、コンターシート１７が前方に傾斜する（前チルト）。これに対し、チルト用モータ５１が反対方向に回転し、傾斜ブロック５３が固定ブロック５０に対して前進した場合、コンターシート１７が後方に傾斜する（後チルト）。このように、シート部１１がチルト可能になれば、患者をより診療し易い位置に配置できる。
【００３５】
図５（Ｂ）で説明した、下方に移動したペダル３５や固定パッド３１の位置はラチェット３４で保持される。その後、ペダル３５を改めて踏むと、ラチェット３４が外れるので、固定パッド３１は、スプリング３２の付勢力によって上方に移動して路面Ｒから離れる。これにより、椅子ベース部２０が車輪２７とともに下降し、車輪２７が路面Ｒに接触する。同時に、電極ソケット２２が電極プラグ４から外れる。よって、歯科治療椅子５が歯科治療ユニット１から離れて走行可能になる。
【００３６】
図７は、歯科治療ユニットの平面図である。
診察室に入室する場合、歯科治療椅子５は、レッグレスト１８を先頭にして入室し、ユニットベース部３に連結してスピットン２の側方（図７で見て右側）に配置される。
一方、上記のように、シート部１１が台座部１０に対して１８０°旋回可能である場合、歯科治療ユニットからレントゲン室に移動したり、診察室から退出したりするときには、図７に二点鎖線で示した歯科治療椅子５のように、ヘッドレスト１２を先頭にしてスピットン２の側方から後方に移動するが、図７に実線で示した歯科治療椅子５のように、シート部１１は旋回できるため、歯科治療椅子５は、レッグレスト１８を先頭にしてレントゲン室に移動したり、退出できる。
【００３７】
このように、シート部１１を１８０°旋回可能にすれば、歯科治療椅子５は、歯科治療ユニット１から離れる際に、歯科治療ユニット１に向かう方向（行き）とは反対の方向に戻ることができる。このため、診察室に必要なスペースがより一層小さくて済む。
【００３８】
なお、上記実施例では、回転用モータ３７は、椅子ベース部２０に設けたバッテリ２１からの電力で駆動する例を挙げて説明した。しかし、本発明はこの例に限定されない。例えば、歯科治療椅子５が歯科治療ユニット１のユニットベース部３に連結した状態で、シート部１１がスピットン等に衝突せずに旋回できる場合には、回転用モータ３７は、歯科治療ユニット１に供給された商用電源からの電力で駆動する。この場合、バッテリ２１の消費が少なくて済む。
【００３９】
また、上記のようなコンパクトに構成された車椅子型の歯科治療椅子５によれば、患者が乗り移る回数をできる限り減らすことができる。
具体的には、患者宅で患者を歯科治療椅子５に乗せて、患者をこの歯科治療椅子５ごと車両に載せて歯科医院に向かえば、医院の駐車場では、患者をこの歯科治療椅子５ごと車両から降ろして、そのまま医院内に入ることができる。そして、医院内でも、待合室で別の車椅子に乗り換えることなく、そのまま診察室に向かい、スピットン２の側方に配置できる。この場合には、患者が乗り移る回数を、患者宅での１回に減らすことができる。
【００４０】
また、上記のようなコンパクトに構成された車椅子型の歯科治療椅子５は、医院の内外のほか、被災地や限界集落等でも使用できる。限界集落とは、集落を構成する人口の５０％以上が６５歳以上で、集落としての機能を維持することが限界に近づきつつある集落である。
詳しくは、歯科治療ユニット１を搭載した車両で被災地や限界集落に訪問し、歯科治療椅子５を車両から降ろして、患者を乗せて車両に連れてくれば、車両で治療が可能になる。この場合、昇降用モータ４０等は例えば車両のバッテリからの電力で駆動する。
【符号の説明】
【００４１】
１…歯科治療ユニット、２…スピットン、３…ユニットベース部、４…電極プラグ、５…歯科治療椅子、１０…台座部、１１…シート部、１２…ヘッドレスト、１３…バックレスト、１４…収容部、１５…持ち手、１６…アームレスト、１７…コンターシート、１８…レッグレスト、２０…椅子ベース部、２１…バッテリ、２２…電極ソケット、２３…椅子走行部、２４…走行用モータ、２５…ベルト、２６…車軸、２７…車輪、３０…ジャッキ部、３１…固定パッド、３２…スプリング、３３…リンク機構、３４…ラチェット、３５…ペダル、３６…タンク、３７…回転用モータ、３９…ラック、４０…昇降用モータ、４１…ポンプ、４２，４６…電磁弁、４３，４７…ダンパ、４４…ポンプケース、４５…ラム、５０…固定ブロック、５１…チルト用モータ、５２…ギア、５３…傾斜ブロック、５４…ラック、５５…カムフォロア、５６…固定板、６０…制御部。
【図１】
2020099503.tif 000003
【図２】
2020099503.tif 000004
【図３】
2020099503.tif 000005
【図４】
2020099503.tif 000006
【図５】
2020099503.tif 000007
【図６】
2020099503.tif 000008
【図７】
2020099503.tif 000009